Podtech/llm-jp-corpus-v4-ja_patent huggingface dataset:
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
ＭＲ装置の検査ボリューム内に配される患者の身体のＭＲイメージング方法であって、
身体の少なくとも一部を、複数のＲＦパルス及び切り替え磁場勾配を含むＭＲイメージングシーケンスに曝すことによってＭＲ信号を生成するステップと、
ＰＲＯＰＥＬＬＥＲスキームに従って時間的に連続して複数のｋ空間ブレードとしてＭＲ信号を取得するステップであって、各ｋ空間ブレードは、複数の実質的に平行なｋ空間ラインを含み、前記ｋ空間ブレードは、ｋ空間の中心を中心に回転され、それにより、ＭＲ信号の収集されるデータセット全体が、ｋ空間の円の少なくとも一部をスパンし、ｋ空間の共通の中央円形領域が、全てのｋ空間ブレードによってカバーされ、前記ＭＲ信号の緩和強調が、個々異なるｋ空間ブレードの間で変化し、特定の緩和強調のｋ空間ラインが、ｋ空間に不規則に分布する、ステップと、
前記ＭＲ信号の緩和強調を推定するステップと、
前記推定された緩和強調に従って、前記取得されたＭＲ信号を補償するステップと、
前記補償されたＭＲ信号から、ＭＲ画像を再構成するステップと、
を実行する方法。
【請求項２】
個々のｋ空間ラインのＴ１強調及び／又はＴ２強調が、個々異なる空間ブレードの間で変化する、請求項１に記載の方法。
【請求項３】
Ｔ１マップ及び／又はＴ２マップ及び／又はＢ０マップ及び／又は水マップ及び／又は脂肪マップが、前記取得されたＭＲ信号から導出され、前記取得されたＭＲ信号が、前記導出されたＴ１マップ、Ｔ２マップ、Ｂ０マップ、水マップ及び／又は脂肪マップに従って変動に関して補償される、請求項１又は２に記載の方法。
【請求項４】
前記ＭＲ信号の前記緩和強調は、前記撮像シーケンスのエコー時間を変化させることによって、及び／又は準備段階の事前パルス後の時間遅延を変化させることによって、変えられる、請求項１乃至３のいずれか１項に記載の方法。
【請求項５】
前記撮像シーケンスは、マルチエコーイメージングシーケンス、特にターボスピンエコー（ＴＳＥ）シーケンス又はターボフィールドエコー（ＴＦＥ）又はエコープラナーイメージング（ＥＰＩ）シーケンス、及び各ショットによって生成されるエコー信号のトレインであり、各ｋ空間ブレードの各ｋ空間ラインは、エコー信号を表す、請求項１乃至４のいずれか１項に記載の方法。
【請求項６】
前記ＭＲ信号の前記緩和強調は、個々のｋ空間ブレードの間で前記ｋ空間ラインの取得順序を変更することによって変えられる、請求項５に記載の方法。
【請求項７】
前記ＭＲ信号の前記緩和強調は、個々のｋ空間ブレードの間で前記エコー信号のエコーシフトを変更することによって変えられる、請求項５に記載の方法。
【請求項８】
緩和強調された及び／又はスペクトル強調されたＭＲ画像が、各緩和強調毎に前記取得されたＭＲ信号から再構成される、請求項１乃至７のいずれか１項に記載の方法。
【請求項９】
緩和時間マップが、前記緩和強調されて再構成されるＭＲ画像から導出される、請求項８に記載の方法。
【請求項１０】
前記緩和強調されたＭＲ画像は、圧縮センシング又はパラレルイメージング再構成アルゴリズムを使用して再構成される、請求項８又は９に記載の方法。
【請求項１１】
Ｔ１強調ＭＲ画像、Ｔ２強調ＭＲ画像、プロトン密度強調ＭＲ画像、水ＭＲ画像、及び／又は脂肪ＭＲ画像が、前記補償されたＭＲ信号から再構成される、請求項１乃至１０のいずれか１項に記載の方法。
【請求項１２】
Ｔ１強調、Ｔ２強調、プロトン密度強調、水及び／又は脂肪コントラストを組み合わせたＭＲ画像が、前記補償されたＭＲ信号から合成される、請求項１乃至１１のいずれか１項に記載の方法。
【請求項１３】
前記ＭＲイメージングシーケンスが、前記ＲＦパルスのフリップ角スイープを含み、取得された各ＭＲ信号に関するフリップ角が、前記緩和強調の推定において考慮される、請求項１乃至１２のいずれか１項に記載の方法。
【請求項１４】
請求項１乃至１３のいずれか１項に記載の方法を実行するＭＲ装置であって、前記ＭＲ装置は、検査ボリューム内に均一な定常磁場を生成する少なくとも１つの主磁石コイルと、前記検査ボリューム内の個々異なる空間方向に切り替え磁場勾配を生成する複数の勾配コイルと、前記検査ボリューム内にＲＦパルスを生成し及び／又は前記検査ボリューム内に位置する対象物からＭＲ信号を受信する少なくとも１つのＲＦコイルと、時間的に連続する前記ＲＦパルス及び前記切り替え磁場勾配を制御する制御ユニットと、前記受信されるＭＲ信号からＭＲ画像を再構成する再構成ユニットと、を有し、前記ＭＲ装置は、
前記身体の少なくとも一部を、複数のＲＦパルス及び切り替え磁場勾配を含むＭＲイメージングシーケンスに曝すことによりＭＲ信号を生成するステップと、
ＲＯＰＥＬＬＥＲスキームに従って時間的に連続して複数のｋ空間ブレードとしてＭＲ信号を取得するステップであって、各ｋ空間ブレードは、複数の実質的に平行なｋ空間ラインを有し、前記ｋ空間ブレードは、ｋ空間の中心を中心に回転され、それにより、前記ＭＲ信号の収集されたデータセット全体が、ｋ空間の円の少なくとも一部をスパンし、ｋ空間の共通の中央円形領域が、全てのｋ空間ブレードによってカバーされ、前記ＭＲ信号の緩和強調が、個々異なるｋ空間ブレードの間で変化し、特定の緩和強調のｋ空間ラインが、ｋ空間に不規則に分布する、ステップと、
前記ＭＲ信号の緩和強調を推定するステップと、
前記推定された緩和強調に従って、前記取得されたＭＲ信号を補償するステップと、
前記補償されたＭＲ信号からＭＲ画像を再構成するステップと、
を実行する、ＭＲ装置。
【請求項１５】
ＭＲ装置上で実行されるコンピュータプログラムであって、
複数のＲＦパルス及び切り替え磁場勾配を含むＭＲイメージングシーケンスを実行することによってＭＲ信号を生成する命令と、
ＰＲＯＰＥＬＬＥＲスキームに従って時間的に連続して複数のｋ空間ブレードとしてＭＲ信号を取得する命令であって、各ｋ空間ブレードは、複数の実質的に平行なｋ空間ラインを含み、前記ｋ空間ブレードは、ｋ空間の中心を中心に回転され、それにより、前記ＭＲ信号の収集されたデータセット全体が、ｋ空間の円の少なくとも一部をスパンし、ｋ空間の共通の中央円形領域が、全てのｋ空間ブレードによってカバーされ、前記ＭＲ信号の緩和強調が、個々異なるｋ空間ブレードの間で変化し、特定の緩和強調のｋ空間ラインが、ｋ空間に不規則に分布する、命令と、
前記ＭＲ信号の緩和強調を推定する命令と、
前記推定された緩和強調に従って、前記取得されたＭＲ信号を補償する命令と、
前記補償されたＭＲ信号からＭＲ画像を再構成する命令と、
を有するコンピュータプログラム。
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
超音波プローブと、画像ディスプレイと、低品質画像及び高品質画像を生成する画像プロセッサと、遠隔超音波システムと通信する画像通信ユニットとを含む、ローカル超音波走査デバイス
を含む、走査処置の遠隔誘導のためのシステムであって、
前記ローカル超音波走査デバイスは更に、
前記画像ディスプレイに前記低品質画像を表示し、
前記遠隔超音波システムに前記高品質画像を送信し、
前記遠隔超音波システムから制御信号を受信する、システム。
【請求項２】
前記低品質画像は、前記高品質画像よりも低い画像解像度を含む、請求項１に記載のシステム。
【請求項３】
前記低品質画像及び前記高品質画像の品質係数は、前記ローカル超音波走査デバイスのデフォルト設定に従って設定される、請求項１又は２に記載のシステム。
【請求項４】
前記低品質画像及び前記高品質画像の品質係数は、前記遠隔超音波システムから受信した画質制御信号に従って設定される、請求項１から３の何れか一項に記載のシステム。
【請求項５】
前記超音波プローブは更に、前記遠隔超音波システムにおける専門家からの音声通信による誘導下で、前記ローカル超音波走査デバイスの場所における患者を走査する、請求項１から４の何れか一項に記載のシステム。
【請求項６】
前記ローカル超音波走査デバイスの前記画像プロセッサは、エコー画素間の画像画素値の完全補間を有する前記高品質画像と、前記エコー画素に補間値が追加されていない低品質画像を生成する走査変換器を含む、請求項１から５の何れか一項に記載のシステム。
【請求項７】
前記ローカル超音波走査デバイスの前記画像プロセッサは更に、ビデオ圧縮プロセッサ、Ｂモードプロセッサ、信号プロセッサ、ドップラープロセッサ、走査変換器プロセッサ、ＦＦＴプロセッサ、及び表示プロセッサのうちの１つ以上を含む、請求項１から６の何れか一項に記載のシステム。
【請求項８】
前記ローカル超音波走査デバイス及び前記遠隔超音波システムそれぞれは、制御データ及び／又は画像データを送受信するネットワーク通信ユニットを含む、請求項１から７の何れか一項に記載のシステム。
【請求項９】
遠隔地から超音波走査処置を誘導するための方法であって、
患者の場所における超音波走査デバイスを用いて対象を超音波走査するステップと、
前記超音波走査によって取得される高品質超音波画像を遠隔超音波システムに送信するステップと、
前記遠隔超音波システムからの画質制御信号又は前記超音波走査デバイスのデフォルト設定に応えて、低品質超音波画像を生成するステップと、
前記患者の場所において、前記低品質超音波画像を表示するステップと、
を含む、方法。
【請求項１０】
前記遠隔超音波システムから前記患者の場所に、音声通信による走査誘導を提供するステップを含む、請求項９に記載の方法。
【請求項１１】
前記遠隔超音波システムにおける画像表示デバイスに前記高品質超音波画像を表示するステップを含む、請求項９又は１０に記載の方法。
【請求項１２】
前記低品質超音波画像を生成するステップは、前記超音波走査デバイスによって行われる、請求項９から１１の何れか一項に記載の方法。
【請求項１３】
前記患者の場所と前記遠隔超音波システムとの間に音声通信を確立するステップを含む、請求項９から１２の何れか一項に記載の方法。
【請求項１４】
前記遠隔超音波システムから走査のために前記超音波走査デバイスを有効にするステップを含む、請求項９から１３の何れか一項に記載の方法。
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
医療用バルーンに楔型切開器具を接合する方法であって、
帯状体の表面に沿って長さ方向に離隔した複数の楔型切開器具を含む当該帯状体を提供するステップと、
前記医療用バルーンの表面に前記帯状体の第２面を結合するステップと、
前記帯状体の前記第２面を前記医療用バルーンに結合した後、帯状体キャリアを前記帯状体から分離するステップと、を備え、
前記楔形切開器具は、各帯状体の第１面に直接近接した帯状のベース面、半径方向外向きの近位置と遠位置との間の長さに相当する長さを有し、各楔形切開器具の高さを決定する、半径方向外向きの切面、及び前記ベース面と前記切面との間に位置する側面を有し、
前記半径方向外向きの切面は、前記帯状体キャリアの直線状の自由端に接合領域で接合し、前記接合領域間の領域はボイドを画定し、さらに前記帯状体の前記第１面は前記帯状体の前記第２面と対向し、前記帯状体及び前記帯状体キャリアは、同じ材料からなっていることを特徴とする、方法。
【請求項２】
前記帯状体の前記第２面は前記医療用バルーンに接着剤で結合することを特徴とする、請求項１に記載の方法。
【請求項３】
前記帯状体キャリアの前記帯状体からの分離は、機械的な力によって行うことを特徴とする、請求項１に記載の方法。
【請求項４】
前記帯状体キャリアは、前記帯状体と一体的に形成したことを特徴とする、請求項１に記載の方法。
【請求項５】
前記帯状体キャリア及び前記帯状体は、化学エッチングで形成することを特徴とする、請求項１に記載の方法。
【請求項６】
前記帯状体及び前記帯状態キャリアは、金属からなることを特徴とする、請求項１に記載の方法。
【請求項７】
前記金属はステンレスを備えることを特徴とする、請求項６に記載の方法。
【請求項８】
医療用バルーンに楔型切開器具を接合する方法であって、
帯状体の表面に沿って長さ方向に離隔した複数の楔型切開器具を含む当該帯状体を提供するステップと、
前記医療用バルーンの表面に前記帯状体の第２面を結合するステップと、
前記帯状体の前記第２面を前記医療用バルーンに結合した後、帯状体キャリアを前記帯状体から分離するステップと、を備え、
前記楔形切開器具は、各帯状体の第１面に直接近接した帯状のベース面、半径方向外向きの近位置と遠位置との間の長さに相当する長さを有し、各楔形切開器具の高さを決定する、半径方向外向きの切面、及び前記ベース面と前記切面との間に位置する側面を有し、
前記半径方向外向きの切面は、前記帯状体キャリアの直線状の自由端に接合領域で接合し、前記接合領域間の領域はボイドを画定し、さらに前記帯状体の前記第１面は前記帯状体の前記第２面と対向し、前記帯状体及び前記帯状体キャリアは、一体的に形成され、化学エッチングは、前記帯状体と前記帯状体キャリアとの間に複数の接合領域及び複数のボイドを形成するために使用されることを特徴とする、方法。
【請求項９】
前記帯状体の前記第２面は前記医療用バルーンに接着剤で結合することを特徴とする、請求項８に記載の方法。
【請求項１０】
前記帯状体キャリアの前記帯状体からの分離は、機械的な力によって行うことを特徴とする、請求項８に記載の方法。
【請求項１１】
前記帯状体キャリア及び前記帯状体は、化学エッチングで形成することを特徴とする、請求項８に記載の方法。
【請求項１２】
前記帯状体及び前記帯状態キャリアは、金属からなることを特徴とする、請求項８に記載の方法。
【請求項１３】
前記金属はステンレスを備えることを特徴とする、請求項１２に記載の方法。
【請求項１４】
医療用バルーンに楔型切開器具を接合する方法であって、
帯状体の表面に沿って長さ方向に離隔した複数の楔型切開器具を含む当該帯状体を提供するステップと、
前記医療用バルーンの表面に前記帯状体の第２面を結合するステップと、
前記帯状体の前記第２面を前記医療用バルーンに結合した後、帯状体キャリアを前記帯状体から分離するステップと、を備え、
前記楔形切開器具は、各帯状体の第１面に直接近接した帯状のベース面、半径方向外向きの近位置と遠位置との間の長さに相当する長さを有し、各楔形切開器具の高さを決定する、半径方向外向きの切面、及び前記ベース面と前記切面との間に位置する側面を有し、
前記半径方向外向きの切面は、前記帯状体キャリアの直線状の自由端に接合領域で接合し、前記接合領域間の領域はボイドを画定し、さらに前記帯状体の前記第１面は前記帯状体の前記第２面と対向し、前記帯状体及び前記帯状体キャリアは、一体的に形成され、同じ材料からなることを特徴とする、方法。
【請求項１５】
前記帯状体の前記第２面は前記医療用バルーンに接着剤で結合することを特徴とする、請求項１４に記載の方法。
【請求項１６】
前記帯状体キャリアの前記帯状体からの分離は、機械的な力によって行うことを特徴とする、請求項１４に記載の方法。
【請求項１７】
前記帯状体キャリア及び前記帯状体は、化学エッチングで形成することを特徴とする、請求項１４に記載の方法。
【請求項１８】
前記帯状体及び前記帯状態キャリアは、金属からなることを特徴とする、請求項１４に記載の方法。
【請求項１９】
前記金属はステンレスを備えることを特徴とする、請求項１８に記載の方法。
【請求項２０】
前記複数の楔型切開器具は、前記帯状体の表面に沿って等間隔に離隔していることを特徴とする、請求項１４に記載の方法。
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
ウェブまたはストリップなどの一片の材料（Ｍ）に流体をスプレーする装置であって、
前記材料が通るチャンバと、
複数のバルブであって、前記チャンバ内に配置され、前記材料に流体をスプレーするように構成され、それぞれのバルブがスプレーノズルを備える、複数のバルブと、
を備え、
それぞれのスプレーノズルが、軸（Ｎ１，Ｎ２）に沿って延びる細長い開口を備え、
前記複数のバルブの少なくとも２つが、それぞれのバルブの中心点（ＣＰ１，ＣＰ２）を通過する共通の軸（ＣＡ）上に間隔を置いて配置され、
前記開口の前記軸が、前記共通の軸（ＣＡ）に関して傾斜（α）し、
前記バルブが、互いに隣り合って配置され、前記材料上で主なスプレーパターン（ＳＰ）を作り出し、それぞれのノズルによって作り出されるスプレーパターン（ＳＰ１，ＳＰ２，ＳＰ３）は、前記材料がチャンバを通るときに少なくとも隣り合うスプレーパターン（ＳＰ１，ＳＰ２，ＳＰ３）と重なり合う、装置。
【請求項２】
請求項１に記載の装置であって、それぞれの前記バルブが、長手方向軸（Ｖ１，Ｖ２）を備え、前記長手方向軸および対応するノズルの前記軸（Ｎ１，Ｎ２）が、平面（Ｐ１，Ｐ２）にわたり、前記平面（Ｐ１，Ｐ２）が、前記共通の軸（ＣＡ）に関して傾斜（α）している、装置。
【請求項３】
請求項２に記載の装置であって、前記開口のそれぞれ軸（Ｎ１，Ｎ２）および／またはそれぞれの平面（Ｐ１，Ｐ２）の傾斜（α）は、前記共通の軸（ＣＡ）に関して１０°から８０°の間にある、装置。
【請求項４】
請求項２または３に記載の装置であって、前記開口のそれぞれ軸（Ｎ１，Ｎ２）および／またはそれぞれの平面（Ｐ１，Ｐ２）の傾斜（α）は、前記共通の軸（ＣＡ）に関して約３０°である、装置。
【請求項５】
請求項２から４のいずれか１項に記載の装置であって、前記開口のそれぞれ軸（Ｎ１，Ｎ２）および／または前記装置のそれぞれの平面（Ｐ１，Ｐ２）は、同じ傾斜角度を有する、装置。
【請求項６】
請求項１から５のいずれか１項に記載の装置であって、前記共通の軸（ＣＡ）上で互いに隣り合って配置された複数のバルブ、好ましくは少なくとも４つの整列したバルブ、を有する流体アプリケーターを備える、装置。
【請求項７】
請求項１から６のいずれか１項に記載の装置であって、前記複数のバルブが、前記材料（Ｍ）の第１側に前記流体をスプレーするように構成された、前記チャンバの第１チャンバ部分の第１側に互いに隣り合って配置され、複数のバルブが、前記材料（Ｍ）の第２側に前記流体をスプレーするように構成された、前記チャンバの第２チャンバ部分の第２側に互いに隣り合って配置される、装置。
【請求項８】
請求項７に記載の装置であって、前記チャンバのそれぞれの側に少なくとも４つのバルブを備える、装置。
【請求項９】
請求項１から８のいずれか１項に記載の装置であって、前記共通の軸（ＣＡ）が水平軸である、装置。
【請求項１０】
請求項１から９のいずれか１項に記載の装置であって、前記バルブが、同時に動作するように構成されている、装置。
【請求項１１】
ウェブまたはストリップなどの一片の材料（Ｍ）に流体をスプレーする装置であって、
前記材料が通るチャンバと、
前記材料に流体をスプレーするように構成されたアプリケーターと、
を備え、
前記アプリケーターが、前記チャンバ内に配置された少なくとも第１および第２バルブを備え、それぞれのバルブが長手方向軸（Ｖ１，Ｖ２）を有し、それぞれのバルブがスプレーノズルを備え、
それぞれのスプレーノズルが、軸（Ｎ１，Ｎ２）に沿って延びる細長い開口を備え、
前記バルブの前記長手方向軸および対応するノズルの前記軸が、平面（Ｐ１，Ｐ２）にわたり、
少なくとも前記第１バルブおよび前記第２バルブが、第１および第２バルブそれぞれの中心点（ＣＰ１，ＣＰ２）を通過する共通の軸（ＣＡ）上に間隔を置いて配置され、
前記平面が、前記共通の軸に関して傾斜（α）している、装置。
【請求項１２】
細長い入口と細長い出口との間の細長いチャンバを通り抜けるウェブまたはストリップなどの一片の材料（Ｍ）に流体をスプレーする装置であって、前記細長い入口と前記細長い出口との間に、中心平面が形成され、前記スプレーチャンバは、複数のスプレーノズルを備え、前記複数のスプレーノズルは、チャンバの少なくとも１つの内壁に配置され、細長いチャンバの中心軸に平行に整列し、それぞれのスプレーノズルは、細長いスプレー開口を有し、前記細長いスプレー開口は、前記中心平面に向かってスプレー方向に流体をスプレーするように構成され、それぞれの細長いスプレー開口は、スプレー方向にスプレー平面（Ｐ１）を定め、前記スプレー平面（Ｐ１）は、チャンバの中心平面に関して傾斜し、傾斜角度（α）が、前記中心平面と前記スプレー平面との交差部の前記中心平面と前記スプレー平面との間に形成される、装置。
【請求項１３】
請求項１から１２のいずれか１項に記載の装置を備えるスプレーユニット。
【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
独立型光学装置への付属装置であって、前記付属装置は、双眼鏡視野のため構成され、少なくとも１つの２つの接眼開口部を含むマスクを備え、各接眼開口部は、独立型光学装置の２つの接眼鏡の１つに結合するように構成され、前記マスクは、少なくとも１つのピボットの第１の場所で前記ピボットに結合され、第２の場所の前記ピボットは、付属装置を光学装置に固定すると、ユーザが、マスクに自身の顔をもたれて、首や背中の張りを予防し、接眼開口部のそれぞれを見通し、および接眼開口部を見通している間に、左右に顔の圧力を加えてピボットを動かすことにより接眼鏡に対してマスクを左右に動かすために、光学装置の接眼鏡に結合するように構成されている、付属装置。
【請求項２】
少なくとも１つのピボットが、レール組立品、さねはぎ組立品、あり継組立品、ジンバル組立品、ロッカーアーム組立品、バネ留め式組立品、低摩擦プレート組立品、軸受組立品及び可撓性材料からなる群から選択される、請求項１に記載の付属装置。
【請求項３】
マスクが、２つの前記ピボットをさらに備え、マスクは、顔の左側のための半分から分離された、顔の右側のための半分をさらに備え、前記左右の半分のそれぞれは、接眼鏡の１つに結合されたピボットの１つを備える、請求項１に記載の付属装置。
【請求項４】
マスクが、ユーザ顔面の形状に基づいてカスタマイズされた内部の輪郭をさらに含む、請求項１に記載の付属装置。
【請求項５】
カスタマイズされた内部の輪郭が、各前記接眼鏡のレンズから最適なアイレリーフ距離でユーザの各目を位置決めする、請求項４に記載の付属装置。
【請求項６】
独立型光学装置への付属装置であって、前記付属装置は、双眼鏡視野のため構成され、可撓性材料を含むマスクと、２つの接眼開口部と、を備え、各前記接眼開口部は、付属装置を光学装置に固定すると、ユーザが、マスクに自身の顔をもたれて、首や背中の張りを予防し、接眼開口部のそれぞれを見通し、および接眼開口部を見通している間に、左右に顔の圧力をマスクに加えることにより接眼鏡に対してマスクを左右に伸ばすために、光学装置の２つの接眼鏡の１つへ取付けるように構成されている、付属装置。
【請求項７】
可撓性材料が、ゴム、シリコーン、プラスチック及び発泡プラスチックからなる群から選択される、請求項６に記載の付属装置。
【請求項８】
マスクが、顔の左側のための半分から分離された、顔の右側のための半分をさらに備える、請求項６に記載の付属装置。
【請求項９】
マスクが、ユーザ顔面用にカスタマイズされた、カスタマイズされた内部の輪郭をさらに含む、請求項６に記載の付属装置。
【請求項１０】
カスタマイズされた内部の輪郭が、接眼鏡の各々のレンズから最適なアイレリーフ距離でユーザの各目を位置決めする、請求項９に記載の付属装置。
【請求項１１】
独立型光学装置への付属装置であって、前記付属装置は、２つの接眼鏡と、双眼鏡視野のため構成されたマスクと、少なくとも１つのピボットと、を備え、１つの場所の前記１つの接眼鏡のそれぞれは光学装置に結合するように構成され、レンズを備え、前記マスクは、少なくとも１つのピボットの第１の場所に結合され、前記ピボットは第２の場所で、付属装置を光学装置に固定すると、ユーザが、マスクに自身の顔をもたれて、首や背中の張りを予防し、接眼開口部のそれぞれを見通し、および接眼開口部を見通している間に、左右に顔の圧力を加えてピボットを動かすことによって接眼鏡に対してマスクを左右に動かすために、接眼鏡に結合されている、付属装置。
【請求項１２】
少なくとも１つのピボットが、レール組立品、さねはぎ組立品、あり継組立品、ジンバル組立品、ロッカーアーム組立品、バネ留め式組立品、低摩擦プレート組立品、軸受組立品及び可撓性材料からなる群から選択される、請求項１１に記載の付属装置。
【請求項１３】
２つの前記ピボットをさらに備え、マスクが、顔の左側のための半分から分離された、顔の右側のための半分をさらに備え、前記左右の半分のそれぞれは、接眼鏡の１つに結合されるピボットの１つを備える、請求項１１に記載の付属装置。
【請求項１４】
マスクが、ユーザ顔面にカスタマイズされた内部の輪郭をさらに含む、請求項１１に記載の付属装置。
【請求項１５】
カスタマイズされた内部の輪郭が、最適なアイレリーフでユーザの目を位置決めする、請求項１４に記載の付属装置。
【請求項１６】
各レンズが、ユーザの目の１つに対し屈折の処方をさらに含む、請求項１１に記載の付属装置。
【請求項１７】
各々のレンズが、中心を有し、中心は、ユーザの測定された瞳孔距離で離間する、請求項１３に記載の光学装置。
【請求項１８】
独立型光学装置への付属装置であって、２つの接眼鏡と、双眼鏡視野のため構成され、可撓性材料を含むマスクと、を備え、各前記接眼鏡は第１の場所で光学装置に結合され、レンズを備え、前記接眼鏡は第２の場所で、付属装置を光学装置に固定すると、ユーザが、マスクに自身の顔をもたれて、首や背中の張りを予防し、接眼開口部のそれぞれを見通し、および接眼開口部を見通している間に、左右に顔の圧力をマスクに加えることにより接眼鏡に対してマスクを左右に伸ばすために、前記マスクに結合されている、独立型光学装置への付属装置。
【請求項１９】
可撓性材料が、ゴム、シリコーン、プラスチック及び発泡プラスチックからなる群から選択される、請求項１８に記載の付属装置。
【請求項２０】
マスクは、顔の左側のための半分から分離された、顔の右側のための半分をさらに備える、請求項１８に記載の付属装置。
【請求項２１】
マスクが、ユーザ顔面用にカスタマイズされた内部の輪郭をさらに含む、請求項１８に記載の付属装置。
【請求項２２】
カスタマイズされた内部の輪郭が、最適なアイレリーフでユーザの目を位置決めするように構成される、請求項２１に記載の付属装置。
【請求項２３】
各々のレンズが、ユーザの目の１つに対し屈折の処方をさらに含む、請求項１８に記載の付属装置。
【請求項２４】
各々のレンズが、中心を有し、中心は、ユーザの測定された瞳孔距離で離間する、請求項２０に記載の付属装置。
【請求項２５】
前記左右の半分のそれぞれは、ピボットの１つにより他の前記半分から独立して動く、請求項３に記載の付属装置。
【請求項２６】
前記左右の半分のそれぞれは、ピボットの１つにより他の前記半分から独立して動く、請求項８に記載の付属装置。
【請求項２７】
前記左右の半分のそれぞれは、ピボットの１つにより他の前記半分から独立して動く、請求項１３に記載の付属装置。
【請求項２８】
前記左右の半分のそれぞれは、ピボットの１つにより他の前記半分から独立して動く、請求項２０に記載の付属装置。
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
個人のベッド転落リスクに対するバイタルサインに関係したリスクスコアの検出のためのデバイスであって、前記デバイスは、
個人のバイタルサインに関係したバイタルサインデータを取得するための第１のポートと、
前記バイタルサインデータを取得及び処理して、前記バイタルサインデータから少なくとも１つのリスク因子を検出することと、少なくとも１つの前記リスク因子から前記バイタルサインに関係したリスクスコアを演算することとにより、前記個人の前記ベッド転落リスクを示す前記バイタルサインに関係したリスクスコアを生成するためのバイタルサイン処理ユニットと、を備える、
デバイス。
【請求項２】
前記バイタルサインデータ及び／又は前記バイタルサインに関係したリスクスコアに信頼性値を割り当てて、前記信頼性値からの個人の可変リスクスコアと前記バイタルサインに関係したリスクスコアとを査定する査定ユニットをさらに備える、請求項１に記載のデバイス。
【請求項３】
前記リスク因子は、心因性の状況、特に、緊張若しくはストレス、不安、落ち着きのない状態、動揺、及び／又は、姿勢、特に、胴が起きた状態であること、ベッド縁部から身を乗り出した状態であること、ベッド外に達している状態であることである、請求項１に記載のデバイス。
【請求項４】
前記バイタルサインデータは、加速度計データ、心拍監視データ、心拍変動監視データ、呼吸監視データを含む、請求項１に記載のデバイス。
【請求項５】
前記バイタルサイン処理ユニットは、空間的方向ｘ、ｙ、ｚに対応したチャンネルにおける前記加速度計データを取得し、ｘ方向は、個人が中に位置するベッドの長手方向に沿った向きであり、ｚ方向は、前記ベッドの幅方向に沿った向きであり、ｙ方向は、前記ｘ方向及び前記ｚ方向に広がる前記ベッドの平面に直交した軸に沿った向きである、請求項４に記載のデバイス。
【請求項６】
前記バイタルサイン処理ユニットは、前記心拍監視データ、前記呼吸監視データ、前記心拍変動監視データ、及び前記加速度計データを観察することにより、所定の時間窓内において、前記ベッド内に位置する個人の緊張又はストレス及び不安を検出し、ここで、前記心拍監視データ、前記呼吸監視データ、前記心拍変動監視データは、所定の値を上回り、前記加速度計データは、すべての前記空間的方向ｘ、ｙ、ｚにおいて所定の値未満である、請求項５に記載のデバイス。
【請求項７】
前記バイタルサイン処理ユニットは、前記空間的方向ｘ、ｙ、ｚにおける前記チャンネル内の前記加速度計データを検出し、カウントし、及び分析することにより、前記ベッド内に位置する個人の姿勢を検出する、請求項５に記載のデバイス。
【請求項８】
前記バイタルサイン処理ユニットは、所定の時間窓内において、前記心拍監視データ、前記呼吸監視データ、前記心拍変動監視データ、及び前記加速度計データを観察することにより、前記ベッド内に位置する個人の落ち着きのない状態又は動揺を検出し、ここで、前記心拍監視データ、前記呼吸監視データ、前記心拍変動監視データは、所定の値を上回り、前記空間的方向ｘ、ｙ、ｚに対応した少なくとも１つの前記チャンネルの前記加速度計データが、所定の閾値を上回る、請求項５に記載のデバイス。
【請求項９】
前記ｘ方向及び前記ｚ方向に対応した前記チャンネルの前記加速度計データが、所定の閾値を上回り、前記ｙ方向の前記加速度計データが、落ち着きのない状態の前記リスク因子に対する所定の閾値未満である、請求項８に記載のデバイス。
【請求項１０】
前記ｘ方向及び前記ｙ方向に対応した前記チャンネルの前記加速度計データが、所定の閾値を上回り、前記ｚ方向の前記加速度計データが、動揺の前記リスク因子に対する所定の閾値未満である、請求項８に記載のデバイス。
【請求項１１】
前記バイタルサイン処理ユニットは、離散的な間隔で又は連続的に、前記バイタルサインに関係したリスクスコア及び／又は信頼性値を特定する、請求項１又は２に記載のデバイス。
【請求項１２】
個人のベッド転落リスクの特定のためのシステムであって、前記システムは、
個人のバイタルサインに関係したバイタルサインセンサーデータを獲得するための少なくとも１つのバイタルサインセンサーと、
獲得された前記バイタルサインセンサーデータに基づく個人のベッド転落リスクの特定のための、請求項１から１１のいずれか一項に記載のデバイスとを備える、
システム。
【請求項１３】
前記バイタルサインセンサーは、加速度計、光電式容積脈波記録センサー、心拍モニター、血圧モニター、ＳｐＯ２センサー、呼吸モニターのうちの少なくとも１つである、請求項１２に記載のシステム。
【請求項１４】
個人のベッド転落リスクの特定のための方法であって、前記方法は、
個人のバイタルサインに関係したセンサーデータを取得するステップと、
前記バイタルサインのデータを処理して、前記バイタルサインのデータから少なくとも１つのリスク因子を検出することと、少なくとも１つの前記リスク因子からバイタルサインに関係したリスクスコアを演算することとにより、個人の前記ベッド転落リスクを示すバイタルサインに関係したリスクスコアを生成するステップとを有する、
方法。
【請求項１５】
コンピュータプログラムがコンピュータ上で実行されるとき、請求項１４に記載の方法のステップをコンピュータに実行させるためのプログラムコード手段を含む、コンピュータプログラム。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
完全にステートフルなクエリ処理をサポートするようマイクロバッチ方式ストリームを処理するための方法であって、
コンピューティングデバイスが、連続クエリを受信することと、
前記コンピューティングデバイスが、前記連続クエリに対して変換を適用して、前記連続クエリについてクエリプランを生成することと、
前記コンピューティングデバイスが、変換アルゴリズムを用いて前記クエリプランを変換して、変換されたクエリプランを生成することと、
前記コンピューティングデバイスが、アプリケーションに関連する入力イベントのマイクロバッチストリームを受信することと、
前記コンピューティングデバイスが、前記変換されたクエリプランに少なくとも部分的に基づいて、前記マイクロバッチストリームの前記入力イベントを処理して、前記アプリケーションに関連する出力イベントのセットを生成することと、
前記コンピューティングデバイスが、前記アプリケーションに関連する前記出力イベントのセットを出力待ち行列に格納することとを備える、方法。
【請求項２】
前記変換アルゴリズムは連続クエリ言語（ＣＱＬ）変換であり、前記処理は連続クエリ処理エンジンを用いて実行され、前記処理は前記出力イベントを生成するために前記入力イベントの各々を増分的に処理することを含む、請求項１に記載の方法。
【請求項３】
前記変換は有向非巡回グラフ（ＤＡＧ）変換である、請求項２に記載の方法。
【請求項４】
前記入力イベントのすべてが処理されたときに、前記コンピューティングデバイスが前記出力待ち行列内の前記出力イベントを送信することをさらに備える、請求項３に記載の方法。
【請求項５】
前記マイクロバッチストリームはマイクロバッチのデータまたはレジリエント分散データセット（ＲＤＤ）を含み、前記ＤＡＧ変換は頂点と辺とのセットであり、前記頂点は前記ＲＤＤを表し、前記辺は前記ＲＤＤに適用されるべき操作を表す、請求項４に記載の方法。
【請求項６】
前記入力イベントの各々を処理することは、前記変換されたクエリプランに少なくとも部分的に基づいて、前記入力イベントの各々に対して計算を実行することを含む、請求項５に記載の方法。
【請求項７】
前記連続クエリはパターンマッチングを含み、前記パターンマッチングを含む完全にステートフルなクエリ処理をサポートするために、前記ＣＱＬ変換は前記ＤＡＧ変換に追加される、請求項６に記載の方法。
【請求項８】
システムであって、
コンピュータ実行可能命令を格納するように構成されたメモリと、
前記メモリにアクセスし、前記コンピュータ実行可能命令を実行して、
連続クエリを受信し、
前記連続クエリに対して変換を適用して、前記連続クエリについてクエリプランを生成し、
変換アルゴリズムを用いて前記クエリプランを変換して、変換されたクエリプランを生成し、
アプリケーションに関連する入力イベントのマイクロバッチストリームを受信し、
前記変換されたクエリプランに少なくとも部分的に基づいて、前記マイクロバッチストリームの前記入力イベントを処理して、前記アプリケーションに関連する出力イベントのセットを生成し、
前記アプリケーションに関連する前記出力イベントのセットを出力待ち行列に格納するよう構成されるプロセッサとを備える、システム。
【請求項９】
請求項１〜７のいずれか１項に記載の方法をプロセッサに実行させるためのコンピュータ可読プログラム。
【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
エピジェネティックリプログラミングのための標的の同定方法であって、
癌を有する対象由来のＤＮＡを含有する試料中の大型組織化ヘテロクロマチンリジン（Ｋ）−９修飾ドメイン（ＬＯＣＫ）および大型ＤＮＡ低メチル化ブロックを検出することを含む、方法。
【請求項２】
前記試料は固形腫瘍由来である、請求項１に記載の方法。
【請求項３】
前記対象は、ＰＤＡＣを有する、または、ＰＤＡＣおよび／もしくはその転移を有する危険性がある、請求項１に記載の方法。
【請求項４】
前記検出は、Ｈ３Ｋ９Ｍｅ２／３および／またはＨ４Ｋ２０Ｍｅ３の分析を含み、
任意に、前記検出は、Ｈ３Ｋ９Ｍｅ２／３および／またはＨ４Ｋ２０Ｍｅ３に対する抗体についてのＣｈＩＰによるものであり、任意にその後に配列決定が続く、請求項１に記載の方法。
【請求項５】
前記検出は、Ｈ３Ｋ２７Ａｃおよび／またはＨ３Ｋ９Ａｃの分析を含み、
任意に、前記検出は、Ｈ３Ｋ２７Ａｃおよび／またはＨ３Ｋ９Ａｃに対する抗体についてのＣｈＩＰによるものであり、任意にその後に配列決定が続く、請求項１に記載の方法。
【請求項６】
前記検出は、ウエスタンブロッティングによる、請求項１に記載の方法。
【請求項７】
前記検出は、全ゲノム亜硫酸水素塩配列決定によるものである、請求項１に記載の方法。
【請求項８】
遺伝子発現分析をさらに含む、請求項２〜６のいずれか１つに記載の方法。
【請求項９】
転移についてのドライバー変異が存在しない、請求項１〜８のいずれか１つに記載の方法。
【請求項１０】
ユークロマチンアイランドおよび／またはユークロマチンＬＯＣＫの分析をさらに含む、請求項１〜９のいずれか１つに記載の方法。
【請求項１１】
ＤＮＡ試料中のユークロマチンドメイン（ＥＣＤ）の変化を同定する方法であって、
治療計画の前後でのＥＣＤの分析を含み、治療計画に対する応答性の予後または分析を提供する、方法。
【請求項１２】
ＤＮＡ試料中のＬＯＣＫの変化を同定する方法であって、
治療計画の前後でのＬＯＣＫの分析を含み、治療計画に対する応答性の予後または分析を提供する、方法。
【請求項１３】
前記分析がコンビナトリアル法によるものである、請求項１１または１２に記載の方法。
【請求項１４】
原発腫瘍における転移傾向を同定するための、差次的に発現される遺伝子の使用であって、
該遺伝子は、本明細書の表中の遺伝子、酸化ストレス遺伝子、ＥＭＴ遺伝子、免疫学的応答遺伝子、ＤＮＡ修復遺伝子、グルコース代謝遺伝子、ｏｘＰＰＰ遺伝子、およびＰＧＤ遺伝子から選択される、使用。
【請求項１５】
ｏｘＰＰＰの阻害を含むエピゲノム変化に影響を与える作用物質または化合物を同定するための方法であって、
作用物質または化合物と接触させる前後に、請求項１に記載の対象由来の試料を分析し、エピゲノム変化に対する作用物質または化合物の効果を測定することを含む、方法。
【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
液体試料の元素組成を分析する装置であって、
それぞれの電気的活性端部を互いに向き合わせ、互いに離間して配置された、陽極電極および陰極電極と、
前記電極が液体に浸されることを可能にするよう、液体を前記装置に送り込む、および、前記液体を前記装置から排出することのできるポンプまたはポンプシステムと、
前記電極に電気的に接触し、一方または両方の前記電極の表面への被分析物の電着のために前記電極に直流電圧を提供するとともに、前記電極を洗浄する目的で逆極性の電圧を提供する、直流（ＤＣ）電源またはポテンショスタット／ガルバノスタットと、
前記電極に電気的に接触し、前記電極の間の放電を発生させることのできる高圧電源と、
電着、電極洗浄、および放電の発生のための電圧の順次印加を可能にする、スイッチ機構と、
前記陽極電極および前記陰極電極が中に配置される、透明または不透明な細管と、
前記放電の放出を記録することのできる光学分光計、または前記放電によって発生するイオンを試料採取することのできる質量分析計と、
を備えている、液体試料の元素組成を分析する装置。
【請求項２】
前記細管が、前記ポンプシステムによって溶液が中を送られる吸入管および排出される排出管、に結合されている、請求項１に記載の、液体試料の元素組成を分析する装置。
【請求項３】
前記電極が、直流電源、ポテンショスタット、またはガルバノスタットに電気的に接触する、請求項１または請求項２に記載の、液体試料の元素組成を分析する装置。
【請求項４】
前記被分析物を電着させるために前記電極の間に印加される直流電位が、分析される前記液体の前記組成に応じて調整され得る、請求項３に記載の、液体試料の元素組成を分析する装置。
【請求項５】
前記電極の間に印加される前記直流電位が、０．１Ｖと１００Ｖの間であるように調整され得る、請求項４に記載の、液体試料の元素組成を分析する装置。
【請求項６】
前記電極が、アーク、火花、グロー放電、またはプラズマなどの放電を発生させることのできる高圧電源に電気的に接触する、請求項１から請求項５のいずれか１項に記載の、液体試料の元素組成を分析する装置。
【請求項７】
前記光学分光計の入射スリット、または前記光学分光計に結合されている光ファイバケーブルが、前記細管および前記放電の向かいに配置されている、請求項１から請求項６のいずれか１項に記載の、液体試料の元素組成を分析する装置。
【請求項８】
前記細管の背後に配置されている、または前記細管の一部の周囲を覆っており、前記光学分光計の入射スリットまたは前記光学分光計に結合されている光ファイバケーブルの向かいに配置されている、平面鏡もしくは凹面鏡、鏡面、または可撓性鏡、をさらに備えている、請求項１から請求項７のいずれか１項に記載の、液体試料の元素組成を分析する装置。
【請求項９】
前記陽極電極または前記陰極電極のいずれか、または両方の電極が、露出する前記電極の端部のみを残して、非導電性かつ不活性なコーティングによって覆われている、請求項１から請求項８のいずれか１項に記載の、液体試料の元素組成を分析する装置。
【請求項１０】
作用電極の電気的活性面が平坦である、請求項９に記載の、液体試料の元素組成を分析する装置。
【請求項１１】
対向電極の電気的活性面が尖っている、請求項１０に記載の、液体試料の元素組成を分析する装置。
【請求項１２】
前記作用電極および／または前記対向電極が、以下に限定されないが、次の材料、すなわち、黒鉛、黒鉛複合材、カーボンナノチューブ、グラフェン、フラーレン、金、白金、イリジウム、アルミニウム、モリブデン、レニウム、ルテニウム、チタン、またはこれらの酸化物もしくは複合材、を含むさまざまな材料から構成されている、請求項９から請求項１１のいずれか１項に記載の、液体試料の元素組成を分析する装置。
【請求項１３】
液体試料の元素組成を分析する方法であって、以下のステップ、すなわち、
請求項１から請求項１２のいずれか１項に記載の装置を用意するステップと、
前記被分析物を含む溶液を、所定の流量で、所定の時間長にわたり前記細管に送り込むステップと、
前記溶液が前記細管に送り込まれている間、所定の時間長にわたり前記電極に直流電位を印加するステップであって、結果として被分析物が電着する、ステップと、
前記装置への前記溶液の前記送り込みを終了した後、前記細管から前記溶液すべてを排出するステップと、
前記溶液が前記細管から排出される前、または前記溶液が前記細管から排出された後のいずれかに、前記電極への電着直流電位の印加を終了するステップと、
前記電極に交流（ＡＣ）高電圧または一定もしくはパルス直流高電圧を印加するステップであって、結果として前記電極の間の放電が発生する、ステップと、
前記結果としての放電の光学発光スペクトルまたは質量スペクトルを記録するステップと、
前のステップにおいて使用された溶液と同じ溶液、または新しい溶液のいずれかを、所定の流量で、所定の時間長にわたり前記細管に送り込むステップと、
前記溶液が前記細管に送り込まれている間、前記被分析物を電着するために使用された直流電位とは逆極性の直流電位を印加するステップであって、結果として電着物質が除去されて前記電極の表面が洗浄される、ステップと、
前記細管から前記溶液を排出するステップと、
を含む、液体試料の元素組成を分析する方法。
【請求項１４】
試料の分析のみならず、データの取得、処理、および分析が、設定された間隔において自律的に行われる、請求項１３に記載の方法。
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
少なくとも１つのゲーム体験を遊技者に提供するように構成される電子ゲーム機と、
電子ゲーム機に通信接続される周辺制御装置と、
主印刷用ポートを介して電子ゲーム機に通信接続されて、主印刷用ポートを介して、少なくとも１つの基本印刷役務を遊技者に提供すると共に、副印刷用ポートを介して印刷駆動アプリケーションに通信接続されて、副印刷用ポートを介して、少なくとも１つの賞品印刷役務を遊技者に提供する印刷装置と、
鑑別装置の主鑑別用ポートを介して電子ゲーム機に通信接続され、主鑑別用ポートを介して、遊技者に少なくとも１つの基本鑑別役務を提供すると共に、副鑑別用ポートを介して鑑別装置駆動アプリケーションに通信接続され、副鑑別用ポートを介して、遊技者に少なくとも１つの賞品鑑別役務を提供する鑑別装置と、
遊技者得点の付与と換金とを管理するカジノ管理システムサーバと、
少なくとも１つの賞品印刷役務及び少なくとも１つの賞品鑑別役務の遊技者への提供を許可しかつ管理する事務改善システムサーバと、
周辺制御装置、カジノ管理システムサーバ及び事務改善システムサーバの各々を相互に通信接続する第１のネットワークと、
賞品機能役務を提供する少なくとも１つの第三者サーバと、
カジノ管理システムサーバ及び事務改善システムサーバの少なくとも１つと、少なくとも１つの第三者サーバとを相互に通信接続する少なくとも１つの第２のネットワークとを備えることを特徴とするカジノ環境内で電子ゲーム機遊技者に賞品機能役務を供給するシステム。
【請求項２】
賞品鑑別役務は、抽選役務である請求項１に記載のシステム。
【請求項３】
周辺制御装置は、スマート装置であり、
印刷駆動アプリケーションは、周辺制御装置により実行される請求項１に記載のシステム。
【請求項４】
周辺制御装置は、通過装置であり、
印刷駆動アプリケーションは、カジノ管理システムサーバ及び事務改善システムサーバの少なくとも１つで実行される請求項１に記載のシステム。
【請求項５】
周辺制御装置は、電子ゲーム機に組み込まれる機能を提供し、
電子ゲーム機は、印刷駆動アプリケーションを実行する請求項１に記載のシステム。
【請求項６】
電子ゲーム機は、第２のネットワークを介して、第三者サーバからの賞品機能役務を遊技者に提供する請求項１に記載のシステム。
【請求項７】
周辺制御装置は、外部データ通信の送信及び／又は受信を部分的又は全面的に封鎖して、第１のネットワークを物理的又は論理的に閉鎖する請求項６に記載のシステム。
【誤訳訂正書】
【提出日】令和2年8月20日(2020.8.20)
【誤訳訂正１】
【訂正対象書類名】特許請求の範囲
【訂正対象項目名】全文
【訂正方法】変更
【訂正の内容】
【特許請求の範囲】
【請求項１】
メチラールと分子式がＲ１−ＣＨ２ＣＯＯＲ２のエステルとを酸性分子篩触媒が担持された反応器中でアルドール縮合反応させ、相応する不飽和低級脂肪酸又はエステルを得ることを含み、
前記Ｒ１はＨ−、ＣＨ３−、ＣＨ３ＣＨ２−、ＣＨ３（ＣＨ２）２−及びＣＨ３（ＣＨ２）３−から選択され、
前記Ｒ２はＣＨ３−、ＣＨ３ＣＨ２−、ＣＨ３（ＣＨ２）２−及びＣＨ３（ＣＨ２）３−から選択され、
前記酸性分子篩触媒は、シリカアルミナ分子篩、リン酸アルミニウム分子篩及びそれらの組み合わせからなる群から選択される一種以上を含み、
前記シリカアルミナ分子篩は、ＺＳＭ−３５分子篩、ＺＳＭ−５分子篩、ＭＯＲ分子篩、Ｙ分子篩、βｅｔａ分子篩、ＭＣＭ−２２分子篩及びそれらの組み合せからなる群から選択される一種以上を含み、
前記リン酸アルミニウム分子篩は、ＳＡＰＯ−３４分子篩、ＤＮＬ−６分子篩、及びそれらの組み合わせからなる群から選択される一種以上を含む、
不飽和低級脂肪酸又はエステルを製造する方法。
【請求項２】
前記酸性分子篩触媒がＺＳＭ−５分子篩を含む、請求項１に記載の方法。
【請求項３】
前記Ｒ１はＨ−及びＣＨ３−から選択され、前記Ｒ２はＣＨ３−から選択される、請求項１に記載の方法。
【請求項４】
前記酸性分子篩触媒におけるシリカアルミナ分子篩のシリカ対アルミナの原子比が１〜５０である、請求項１に記載の方法。
【請求項５】
前記酸性分子篩触媒におけるシリカアルミナ分子篩のシリカ対アルミナの原子比が２〜２５である、請求項４に記載の方法。
【請求項６】
前記酸性分子篩触媒は、前記分子篩の骨格組成元素以外の元素により変性された生成物をさらに含む、請求項１に記載の方法。
【請求項７】
前記酸性分子篩触媒は、カリウム、セシウム、及び銅からなる群より選ばれる１種又は２種以上の金属元素をさらに含む、請求項６に記載の方法。
【請求項８】
前記金属元素が、ｉｎ  ｓｉｔｕ合成、金属イオン交換又は浸漬により前記酸性分子篩触媒中に導入される、請求項７に記載の方法。
【請求項９】
前記酸性分子篩触媒の総重量に対して、前記金属元素の、金属単体換算での重量パーセントが０．０１ｗｔ％〜１０．０ｗｔ％である、請求項８に記載の方法。
【請求項１０】
前記酸性分子篩触媒は、バインダとして、アルミナ、シリカ、ジルコニア及び酸化マグネシウムからなる群より選ばれるいずれか１種又はそれらの組み合わせを含む、請求項１〜９のいずれか１項に記載の方法。
【請求項１１】
前記酸性分子篩触媒の総重量に対して、前記バインダの含有量が０ｗｔ％超で５０ｗｔ％以下である、請求項１０に記載の方法。
【請求項１２】
メチラール対前記酸又はエステルのモル比が１／２０〜５／１であり、原料の合計質量空間速度が０．０５〜１０．０ｈ−１であり、反応温度が２００〜４００℃であり、かつ、反応圧力が０．２〜１５．０ＭＰａである、請求項１に記載の方法。
【請求項１３】
メチラール対前記酸又はエステルのモル比が１／１０〜２／１であり、原料の合計質量空間速度が０．３〜２．０ｈ−１であり、反応温度が２５０〜３５０℃であり、かつ、反応圧力が０．２〜５．０ＭＰａである、請求項１２に記載の方法。
【請求項１４】
前記アルドール縮合反応が、固定床反応器、流動床反応器又は槽型反応器の中で行われる、請求項１に記載の方法。
【請求項１５】
前記アルドール縮合反応が、Ｎ２、Ｈｅ、Ａｒ、ＣＨ４、Ｃ２Ｈ６、Ｈ２、ＣＯ、及びＣＯ２から選択されるいずれか１種又はそれらの組み合わせを含む雰囲気の中で行われる、請求項１に記載の方法。
【誤訳訂正２】
【訂正対象書類名】明細書
【訂正対象項目名】００１５
【訂正方法】変更
【訂正の内容】
【００１５】
１つの好ましい実施形態において、前記酸性分子篩触媒は、カリウム、セシウム、及び銅からなる群より選ばれる１種又は２種以上の金属元素をさらに含む。前記金属元素が、ｉｎ  ｓｉｔｕ合成、金属イオン交換又は浸漬により前記酸性分子篩触媒中に導入される。前記酸性分子篩触媒の総重量に対して、前記金属元素の、金属単体換算での重量パーセントが０．０１ｗｔ％〜１０．０ｗｔ％である。
【誤訳訂正３】
【訂正対象書類名】明細書
【訂正対象項目名】００２６
【訂正方法】変更
【訂正の内容】
【００２６】
好ましくは、前記酸性分子篩触媒は、カリウム、セシウム、銅からなる群より選ばれる１種又は２種以上の金属元素をさらに含む。前記金属元素は、ｉｎ  ｓｉｔｕ合成、金属イオン交換又は浸漬等により前記酸性分子篩触媒中に導入される。好ましくは、前記酸性分子篩触媒の総重量に対して、前記金属元素の金属単体換算での重量パーセントが０．０１ｗｔ％〜１０．０ｗｔ％である。
【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
ガボキサドールまたはその薬学的に許容される塩を含む、治療を必要とする患者における注意欠陥多動性障害（ＡＤＨＤ）を治療するための医薬組成物。
【請求項２】
約０．０５ｍｇ〜約３０ｍｇのガボキサドールまたはその薬学的に許容される塩を含む、請求項１に記載の医薬組成物。
【請求項３】
注意欠陥多動性障害（ＡＤＨＤ）の１つ以上の症状の改善を提供する、請求項１に記載の医薬組成物。
【請求項４】
前記改善が、投与後６時間以上提供される、請求項３に記載の医薬組成物。
【請求項５】
前記改善が、投与後少なくとも８時間提供される、請求項３に記載の医薬組成物。
【請求項６】
前記改善が、投与後少なくとも１２時間提供される、請求項３に記載の医薬組成物。
【請求項７】
前記組成物が、約１ｍｇ〜約２０ｍｇのガボキサドールまたはその薬学的に許容される塩を含む、請求項１に記載の医薬組成物。
【請求項８】
治療を必要とする患者における注意欠陥多動性障害（ＡＤＨＤ）を治療するための薬剤の製造における、ガボキサドールまたはその薬学的に許容される塩の使用。
【請求項９】
薬剤が、約０．０５ｍｇ〜約３０ｍｇのガボキサドールまたはその薬学的に許容される塩を含む、請求項８に記載の使用。
【請求項１０】
薬剤が、注意欠陥多動性障害（ＡＤＨＤ）の１つ以上の症状の改善を提供する、請求項８に記載の使用。
【請求項１１】
前記改善が、投与後６時間以上提供される、請求項１０に記載の使用。
【請求項１２】
前記改善が、投与後少なくとも８時間提供される、請求項１０に記載の使用。
【請求項１３】
前記改善が、投与後少なくとも１２時間提供される、請求項１０に記載の使用。
【請求項１４】
前記薬剤が、約１ｍｇ〜約２０ｍｇのガボキサドールまたはその薬学的に許容される塩を含む、請求項８に記載の使用。
【手続補正２】
【補正対象書類名】明細書
【補正対象項目名】発明の名称
【補正方法】変更
【補正の内容】
【発明の名称】ガボキサドールを用いた注意欠陥多動性障害（ＡＤＨＤ）の治療方法